(57)【要約】【課題】  迅速かつ確実に消磁することができる磁気記録装置及び記録方法を提供すること。【解決手段】  本発明の一形態であるＨＤＤ１は、磁気ディスクにデータを書き込むため、記録ヘッド１５０に流れる第１の電流を供給する電流源１６５と、第１の電流の極性が変わったときに、記録ヘッド１５０に流れる第２の電流を供給する電流源１６６と、データに応じて、記録ヘッド１５０に流れる電流の極性を反転させるトランジスタ１６１、１６２とを備え、消磁期間において、第１の電流Ｉ１が略０に収束するよりも前に、第１の電流Ｉ１の極性の反転時に電流源１６６から記録ヘッド１５０に流れる第２の電流Ｉ２が略０となるよう制御する制御回路とを備えたものである。【選択図】  図３
2006196107.tif 000002
【特許請求の範囲】
【請求項１】
磁気記録媒体と、前記磁気記録媒体に対してデータの記録を実行する記録ヘッドとを備え、前記データに基づいて前記記録ヘッドに流れる電流の極性を反転させて、当該データを前記磁気記録媒体に書き込む磁気記録装置であって、
前記磁気記録媒体に前記データを書き込むため、前記記録ヘッドに流れる第１の電流を供給する第１の電流源と、
前記第１の電流の極性が変わったときに、前記記録ヘッドに流れる第２の電流を供給する第２の電流源と、
前記データに応じて、前記第１の電流源及び前記第２の電流源から前記記録ヘッドに流れる電流の極性を反転させるスイッチング回路と、
前記データの書き込みが終了した後に、前記第１の電流を減衰させながら当該第１の電流の極性を反転させて前記記録ヘッドに流して前記記録ヘッドを消磁する消磁期間において、前記第１の電流が略０に収束するよりも前に、前記第１の電流の極性の反転時に前記第２の電流源から前記記録ヘッドに流れる前記第２の電流が略０となるよう制御する制御回路とを備えた磁気記録装置。
【請求項２】
前記制御回路が、前記消磁期間において、前記第２の電流源から前記記録ヘッドに流れる前記第２の電流を停止している請求項１に記載の磁気記録装置。
【請求項３】
前記制御回路が、前記記録ヘッドと前記第２の電流源との間に設けられたスイッチを備え、
前記スイッチにより、前記第２の電流源から前記記録ヘッドに流れる第２の電流を停止している請求項２に記載の磁気記録装置。
【請求項４】
前記制御回路が、前記データの書き込み期間を示すライト制御信号と前記第１の電流源からの第１の電流の極性を反転させる前記ライトデータとが入力されるアンド回路をさらに備え、前記アンド回路からの出力に基づいて前記スイッチを制御する請求項３記載の磁気記録装置。
【請求項５】
前記第２の電流源から出力される第２の電流を略０にすることにより、前記前記第２の電流源から前記記録ヘッドに流れる第２の電流を停止している請求項１に記載の磁気記録装置。
【請求項６】
前記制御回路が、前記第２の電流源から出力される第２の電流を略０にするよう制御して、前記記録ヘッドに流れる第2の電流を停止する請求項５に記載の磁気記録装置。
【請求項７】
前記制御回路が、前記第１の電流が略０に収束する第１の減衰期間よりも短い第２の減衰期間で前記第２の電流を略０に収束するように減衰させながら前記第２電流の極性を反転させる請求項１に記載の磁気記録装置。
【請求項８】
前記第２の電流源が供給する前記第２の電流の電流値を設定するレジスタをさらに備え、
前記消磁期間では、前記レジスタに記憶されたレジスタ値に基づいて、前記第２の減衰期間で略０に収束するよう前記第２の電流を減衰させる請求項７記載の磁気記録装置。
【請求項９】
前記レジスタ値が変更可能に設けられている請求項８に記載の磁気記録装置。
【請求項１０】
磁気記録媒体と、前記磁気記録媒体に対してデータの記録を実行する記録ヘッドとを備え、前記データに基づいて前記記録ヘッドに流れる電流の極性を反転させて、当該データを前記磁気記録媒体に書き込む磁気記録装置における記録方法であって、
前記記録ヘッドに第１の電流源から供給される第１の電流を流し、
前記データに基づいて前記記録ヘッドに流れる前記第１の電流の極性を反転させ、
前記第１の電流の極性を反転させたときに、前記記録ヘッドに第２の電流源から供給される第２の電流を前記第１の電流とともに流し、
前記磁気記録媒体への書き込みを終了した後、前記第１の電流源から前記記録ヘッドに流れる第１の電流を減衰させながら、前記第１の電流の極性を反転させて消磁を行い、
前記消磁が行なわれている消磁期間では、前記第１の電流が略０に収束するよりも前に、前記第１の電流の極性の反転時に前記第２の電流源から前記記録ヘッドに流れる前記第２の電流が略０となる記録方法。
【請求項１１】
前記消磁期間では、前記第２の電流源からの第２の電流が停止される請求項１０記載の記録方法。
【請求項１２】
前記第２の電流源と前記記録ヘッドとの間に設けられたスイッチをオフすることにより、前記２の電流源から前記記録ヘッドに流れる電流を停止する請求項１１に記載の記録方法。
【請求項１３】
前記第１の電流が略０に収束する第１の減衰期間よりも短い第２の減衰期間で前記第２の電流を略０に収束するように減衰させながら前記第２電流の極性を反転させる請求項１０に記載の記録方法。
【請求項１４】
前記第２の電流源が供給する前記第２の電流の電流値を設定するレジスタに記憶されたレジスタ値に基づいて、前記第２の減衰期間で略０に収束するよう前記第２の電流を減衰させる請求項１３記載の記録方法。
【発明の詳細な説明】
【技術分野】
【０００１】
本発明は磁気記録装置及び記録方法に関し、特に詳しくは記録ヘッドの消磁を行う磁気記録装置及びその磁気記録装置における記録方法に関する。
【背景技術】
【０００２】
情報記録再生装置として、光ディスクや磁気テープなどの様々な態様のメディアを使用する装置が知られている。その中で、ハード・ディスク・ドライブは、コンピュータの記憶装置として広く普及し、現在のコンピュータ・システムにおいて欠かすことができない記憶装置の一つとなっている。さらに、コンピュータにとどまらず、動画像記録再生装置、カーナビゲーション・システム、あるいはデジタル・カメラなどで使用されるリムーバブルメモリなど、ハード・ディスク・ドライブの用途は、その優れた特性により益々拡大している。
【０００３】
ハード・ディスク・ドライブ（ＨＤＤ）で使用される磁気ディスクは、同心円状に形成された複数のトラックを有しており、各トラックは複数のセクタに区分されている。各セクタにはセクタのアドレス情報と、ユーザ・データが記憶される。ヘッド素子部がセクタのアドレス情報に従って所望のセクタにアクセスすることによって、セクタへのデータ書き込みあるいはセクタからのデータ読み出しを行うことができる。
【０００４】
ヘッド素子部は、通常、記録ヘッドと再生ヘッドとを備えている。記録ヘッドは、記録する情報に対応する電気信号、すなわち、電流を磁界に変換して、磁気ディスクに記録するための素子である。この記録ヘッドは、磁極及び磁極に巻きつけられた巻線を備えている。そして、記録ヘッドに流す電流の向きを変えることにより、発生する磁界の方向を変えている。この磁界の方向により、磁気ディスクの磁化する方向が変わり、磁化方向に基づいたデータが磁気ディスクに記憶される。記録に必要な記録電流は、必要な磁界強度や磁極に巻かれている巻線の数に基づいて定められる
【０００５】
例えば、書き込み終了時に記録ヘッドに流れる電流を急激に立ち下げた場合、記録ヘッドが帯磁してしまう。記録ヘッドが帯磁してしまうと、記録したデータを消してしまうおそれがある。この記録ヘッドの帯磁を防ぐため、記録ヘッドに流れる電流を正弦波状に変化させた状態で、電流の振幅を徐々に減衰させる点が開示されている（例えば、特許文献１参照）。さらに、記録ヘッドに流れる電流を特許文献１と異なる波形で供給して消磁（消磁）させる方法が開示されている（例えば、特許文献２参照）。これらの消磁方法では、記録ヘッドに流れる電流を減衰させながら、電流の極性すなわち、電流が流れる方向を反転させている。このような消磁方法は垂直磁気記録方式に特に利用される。
【０００６】
ところで、ＨＤＤでは、書き込み速度を向上するため、図６（ｂ）に示すように記録電流方向が切り替わる時の電流波形の立ち上がりに、オーバーシュートを持たせている。すなわち、記録されるデータの値が切り替わる時、電流の向きが変わる。この電流の向きが変わるタイミングにおいて、記録電流は、素早く、その向きを反転させる必要があるが、記録ヘッドのインダクタンス成分により遅くなり、電流切り替え波形は鈍ってしまう。そこで、電流の向きが変わるタイミングで記録電流を一瞬、増やして、オーバーシュートさせる。そして、その後、設定した一定の記録電流を流すようにしている。これにより、記録ヘッドに流れる電流が反転した後、所定の記録電流に達するまでの立ち上がり時間（反転時間）を短縮することができる。図６（ａ）に示すように従来のＨＤＤの記録電流生成回路２６０では、記録ヘッド２５０に流れる電流を、その反転時にオーバーシュートさせるため、スイッチ２６４と電流源２６６とから構成されるオーバーシュート発生回路が設けられている。このオーバーシュート発生回路は、電流源２６６により、例えば、記録電流の一定の割合のオーバーシュート電流を発生させる。そして、電流反転時にスイッチ２６４をオンし、電流源２６５からの記録電流と電流源２６６からのオーバーシュート電流を加えた電流を記録ヘッド２５０に流している。記録ヘッド２５０に流れる電流は、ＨＤＤのエンクロージャー内に設けられたプリアンプＡＥ回路（ＡＥ：アームエレクトロニクス）から供給される。ＡＥは、ＨＤＤを制御するための回路基板に設けられたハードディスク・コントローラ（ＨＤＣ）やリ−ド・ライト・チャネル（Ｒ/Ｗチャネル）からの信号によって駆動される。
【０００７】
【特許文献１】特開平９−７１３７号公報
【特許文献２】特開平７−３１１９２２号公報
【発明の開示】
【発明が解決しようとする課題】
【０００８】
しかしながら、立ち上がり時間を短縮するため記録ヘッドに流れる電流を反転時にオーバーシュートさせる従来の磁気記録装置では、書き込み終了後、消磁を実行すると以下に示す問題点が発生してしまう場合があった。この問題点について図７及び図８を用いて説明する。図７は従来のＨＤＤにおけるＡＥの構成を示すブロック図である。図８は消磁時の信号波形を示すタイミングチャートである。
【０００９】
図７を参照してＡＥの構成について説明する。ＡＥ２００は記録電流生成回路２６０と消磁波形生成回路２７０とを備えている。記録電流生成回路２６０は記録ヘッド２５０に供給する電流を生成する。消磁波形生成回路２７０は消磁動作に適した減衰波形を生成する。そして、記録電流生成回路２６０は消磁波形生成回路２７０からの信号波形に基づいて、消磁を行うための電流を記録ヘッドに供給する。記録電流生成回路２６０は、トランジスタ２６１ａ、２６１ｂ、２６２ａ、２６２ｂ、スイッチ２６３、２６４と電流源２６５、２６６とを備えている。ここで、トランジスタ２６１ａ及びトランジスタ２６１ｂの組をトランジスタ２６１とし、トランジスタ２６２ａ及びトランジスタ２６２ｂの組をトランジスタ２６２とする。
【００１０】
まず、磁気ディスクへの通常の書き込みが行われる通常書き込み期間について説明する。ＡＥ２００には回路基板２２０に設けられたＲ／Ｗチャネル２２１からライト・データ（ＷＤ）２１１、２１２が入力される。図２では、ＷＤ２１１、２１２が逆極性の差動信号として伝送されるため、ライト・データ用の信号線が２本示されている。なお、差動信号として伝送しない場合は、信号線は１本でよい。ここで、ライト・データ２１１（＋ＷＤ）はライト・データ（−ＷＤ）２１２を反転した信号となる。すなわち、＋ＷＤ２１１がＨｉｇｈのとき、−ＷＤ２１２はＬｏｗとなり、＋ＷＤ２１１がＬｏｗのとき、−ＷＤ２１２はＨｉｇｈとなる。このＷＤ２１１、２１２に応じて、磁気ディスクに記録される磁化パターンの向きが変化する。
【００１１】
さらに回路基板２２０に設けられたＨＤＣ２２２からライト制御信号（ライトゲート信号）２１３がＡＥ２００に入力される。ここで、ライト制御信号２１３は磁気ディスクへの書き込みを実行するか否かを示す信号である。このライト制御信号２１３に基づいて書き込みが実行される。すなわち、ライト制御信号２１３がＨｉｇｈのとき、記録ヘッド２５０に電流を流して、磁気ディスクへの書き込みを実行すると定義する。一方、ライト制御信号がＬｏｗのとき、磁気ディスクへの書き込みを実行しない。このように、ライト制御信号２１３がＨｉｇｈとなっている間に、通常の書き込み処理が実行される。ライト制御信号２１３がＨｉｇｈの間が通常書き込み期間となる。
【００１２】
＋ＷＤはスイッチ２３１のＡ接点に入力され、−ＷＤはスイッチ２３２のＡ接点に入力される。通常書き込み期間、すなわち、ライト制御信号２１３がＨｉｇｈの間、スイッチ２３１、２３２はＡ接点となっている。スイッチ２３１、２３２がＡ接点のとき、トランジスタ２６１、２６２のベース端子に入力される信号はチャネル２２１からのＷＤ２１１、２１２となる。したがって、通常書き込み期間では、記録電流生成回路２６０で生成され、記録ヘッドに流れる電流の向きが、ＷＤ２１１、２１２に応じて切り替わる。すなわち、＋ＷＤ２１１がＨｉｇｈのとき、トランジスタ２６１がオンし、トランジスタ２６２がオフする。一方、−ＷＤ２１２がＨｉｇｈのとき、トランジスタ２６１がオフし、トランジスタ２６２がオンする。よって、記録電流生成回路２６０によって生成され、記録ヘッド２５０に流れる電流の向きが変わる。ここで、トランジスタ２６１がオンし、トランジスタ２６２がオフしたとき、記録ヘッド２５０を左側から右側に流れる電流を負の電流とし、トランジスタ２６１がオフし、トランジスタ２６２がオンしたとき、記録ヘッド２５０を右側から左側に流れる電流を正の電流として説明する。記録ヘッド２５０に流れる電流は記録電流生成回路２６０に設けられたスイッチ２６３、２６４を介して電流源２６５、２６６から供給される。
【００１３】
電流源２６５は、磁気ディスクに記録するための記録電流を供給している。ここでは記録電流を５０ｍＡとして説明する。すなわち、記録ヘッドに＋５０ｍＡ又は−５０ｍＡの電流が流れることにより、磁気ディスクにデータを記録することができる。通常書き込み期間において、電流源２６５から供給される電流Ｉ１は５０ｍＡで一定である。一方、電流源２６６はオーバーシュート電流を供給する。すなわち、記録ヘッドに流れる電流の向きが切り替わるときのみ、電流源２６６からの電流が記録ヘッド２５０に流れる。ここで電流源２６５と記録ヘッド２５０との間にはスイッチ２６３が設けられており、電流源２６６と記録ヘッド２５０との間にはスイッチ２６４が設けられている。スイッチ２６３によって、電流源２６５からの電流の供給が制御され、スイッチ２６４によって、電流源２６６からの電流の供給が制御される。
【００１４】
電流源２６５に接続されたスイッチ２６３はライト制御信号２１３に基づいて制御される。実際には、スイッチ２６３は重畳回路２４０によって消磁イネーブル信号２７１とライト制御信号２１３とが重畳された重畳信号２４７に基づいて制御されるが、これについては後述する。通常書き込み期間においては、ライト制御信号２１３がＨｉｇｈとなっているため、スイッチ２６３はオン状態となっている。このとき、電流源２６５から記録ヘッド２５０に電流が供給される。
【００１５】
電流源２６６に接続されたスイッチ２６４はシングルショット（Ｓ／Ｓ）２４１の出力に基づいて制御される。通常書き込み期間において、スイッチ２３１、２３２はＡ接点となっているので、シングルショット（Ｓ／Ｓ）２４１には＋ＷＤ２１１及び−ＷＤ２１２が入力される。シングルショット（Ｓ／Ｓ）２４１は＋ＷＤ２１１又は−ＷＤ２１２の立ち上がりを検出している。すなわち、シングルショット（Ｓ／Ｓ）２４１の出力は、記録ヘッド２５０に流す電流の向きが変わるときにパルスが表れる信号となる。よって、スイッチ２６４はＷＤ２１１、２１２の立ち上がるときにオンする。すなわち、記録ヘッドに流す電流の向きが変わるとき、スイッチ２６４がオンし、電流源２６６から電流が記録ヘッド２５０に流れる。ここでは、電流源２６６は、電流源２６５により供給される電流の２割の電流を供給するものとして説明する。すなわち、通常書き込み期間において、電流源２６６により供給される電流は１０ｍＡである。
【００１６】
このようにオーバーシュート電流用電流源２６６を用いることにより、＋ＷＤ／−ＷＤデータの値が切り替わってから実際に設定した５０ｍＡの記録電流に達するまでの立ち上がり時間を短縮することができる。すなわち、通常書き込み期間では極性が反転した時に６０ｍＡのピーク電流を目指して、記録電流が反対方向に流れようとするので、設定した５０ｍＡに達する時間が短くなり、その後に６０ｍＡまでオーバーシュートするが５０ｍＡに戻る。
【００１７】
次に、消磁動作が行われる消磁期間（消磁期間）について説明する。ここで、消磁を行うための消磁電流波形を生成するために、消磁波形生成回路２７０がＡＥ２００に設けられている。
【００１８】
ライト制御信号２１３は消磁波形生成回路２７０に入力される。消磁波形生成回路２７０はライト制御信号２１３に基づいて、消磁イネーブル信号２７１を生成する。具体的にはライト制御信号２１３が立ち下がるとき、すなわち、通常書き込み期間が終了し、書き込む処理から読み出し処理に切り替わるタイミングで消磁イネーブル信号２７１が出力される。そして、この消磁イネーブル信号２７１は消磁が行われる消磁期間に対応する時間、Ｈｉｇｈとなるパルス波形を有している。消磁イネーブル信号２７１がＨｉｇｈのとき、消磁動作が実行され、Ｌｏｗのとき、消磁動作が実行されない。消磁イネーブル信号２７１は通常書き込み期間の直後から一定時間だけＨｉｇｈになったあと、Ｌｏｗに戻る。なお、消磁動作が開始するタイミングでチャネル２２１からのＷＤ２１１、２１２の供給が停止される。
【００１９】
消磁波形生成回路２７０はオシレータクロック又は一定周波数発生器を内蔵しており、このオシレータクロック等により消磁用ライト・データ２７２、２７３を生成する。ここで、消磁用ライト・データ２７２を＋ＤＷＤとし、消磁用ライト・データ２７３を−ＤＷＤとし、消磁用ライト・データ２７２及び消磁用ライト・データ２７３をまとめてＤＷＤとする。ＤＷＤ２７２、２７３は図８に示すように所定の周波数及び所定のパルス幅のパルス波形となる。このパルス波形は図８に示すように消磁期間だけ表れる。＋ＤＷＤ２７２は−ＤＷＤ２７３を反転させた信号となる。すなわち、＋ＤＷＤ２７２がＨｉｇｈのとき、消磁用ライト・データ２７３がＬｏｗとなり、＋ＤＷＤ２７２がＬｏｗのとき、消磁用ライト・データ２７３がＨｉｇｈとなる。そして、＋ＤＷＤと−ＤＷＤとは互いに１／２周期ずれたものであり、それぞれ同じパルス幅をしている。
【００２０】
＋ＤＷＤ２７２はスイッチ２３１のＢ接点に入力され、消磁用ライト・データ２７３はスイッチ２３２のＢ接点に入力される。消磁期間では、スイッチ２３１、２３２がＢ接点となる。よって、消磁期間では、ＤＷＤ２７２、２７３がトランジスタ２６１、２６２のベース端子にそれぞれ入力される。ＤＷＤ２７２、２７３にしたがって、記録ヘッド２５０に流れる電流の方向が切り替わる。すなわち、＋ＤＷＤ２７２がＨｉｇｈのとき、トランジスタ２６１がオンして、図７の記録ヘッド２５０の左側から右側に向かって流れる。すなわち、記録ヘッド２５０に負の記録電流が流れる。−ＤＷＤ２７３がＨｉｇｈのとき、トランジスタ２６２がオンして、記録ヘッド２５０の右側から左側に向かって流れる。すなわち、記録ヘッド２５０に正の記録電流が流れる。このようにして、消磁期間において記録ヘッドに流れる電流の向きを変えることができる。消磁期間では、一定の時間間隔で記録ヘッド２５０に流れる電流極性が反転する。
【００２１】
スイッチ２３１、２３２は消磁イネーブル信号２７１に基づいて切り替わる。すなわち、消磁イネーブル信号２７１がＨｉｇｈとなるとＡ接点からＢ接点へと切り替わる。そして、消磁イネーブル信号２７１がＨｉｇｈの間、スイッチ２３１、２３２はＢ接点となっている。消磁イネーブル信号２７１がＬｏｗになるとスイッチ２３１、２３２はＡ接点に戻る。また、スイッチ２３１、２３２は、ライト制御信号２１３がライト期間を示すＨｉｇｈの時、Ａ接点につながっている。よって、通常書き込み期間か消磁期間かに応じて、記録電流生成回路２６０のトランジスタ２６１、２６２のベース端子に入力される信号が切り替わる。
【００２２】
消磁期間において、スイッチ２６３は消磁イネーブル信号２７１に基づいて制御される。消磁イネーブル信号２７１がＨｉｇｈのとき、スイッチ２６３がオンする。よって、消磁期間において、スイッチ２６３はオン状態となっている。したがって、消磁期間でも、電流源２６５からの電流が記録ヘッド２５０に常時流れる。
【００２３】
ここで、スイッチ２６３はライト制御信号２１３及び消磁イネーブル信号２７１に基づいて、オン／オフされる。すなわち、スイッチ２６３には重畳回路２４０によりライト制御信号２１３と消磁イネーブル信号２７１とが重畳された重畳信号２４７に基づいて切り替わる。重畳信号２４７はライト制御信号２１３を消磁期間分延長した信号となる。具体的には重畳信号２４７がＨｉｇｈのとき、すなわち、ライト制御信号２１３又は消磁イネーブル信号２７１がＨｉｇｈの間スイッチ２６３はオンされる。通常書き込み期間が開始してから消磁期間が終わるまでスイッチ２６３がオンする。これにより、通常書き込み期間のみならす消磁期間まで、電流源２６５からの電流が記録ヘッド２５０に流れる。
【００２４】
スイッチ２６４はシングルショット（Ｓ／Ｓ）２４１の出力に基づいて切り替わる。ここで、消磁期間では、スイッチ２３１、２３２がＢ接点になっているので、シングルショット（Ｓ／Ｓ）２４１にはＤＷＤ２７２、２７３が入力される。シングルショット（Ｓ／Ｓ）２４１はＤＷＤ２７２、２７３の立ち上がりを検出する。すなわち、シングルショット（Ｓ／Ｓ）２４１の出力は、記録ヘッド２５０に流す電流の向きが変わるときにパルスが表れる信号となる。＋ＤＷＤ２７１と−ＤＷＤ２７２とは同じパルス幅を有しており、互いに反転した信号であるため、シングルショット（Ｓ／Ｓ）２４１の出力は図８に示すように、ＤＷＤ２７２、２７３の２倍の周波数を持つパルス波形となる。スイッチ２６４はＤＷＤ２７２、２７３の立ち上がるときにオンする。すなわち、記録ヘッド２５０に流す電流の向きが変わるとき、スイッチ２６４がオンし、電流源２６６から電流が記録ヘッド２５０に流れる。ここで、電流源２６６は、電流源２６５により供給される電流の２割の電流を供給する。
【００２５】
このように、スイッチ２６４はシングルショット（Ｓ／Ｓ）２４１の出力に基づいて切り替わる。シングルショット（Ｓ／Ｓ）２４１には、ＷＤ２１１及びＷＤ２１２又は＋ＤＷＤ２７２及び−ＤＷＤ２７３が入力される。ここで、シングルショット（Ｓ／Ｓ）２４１に入力される信号はスイッチ２３１、２３２がＡ接点かＢ接点かによって、切り替わる。すなわち、スイッチ２３１がＡ接点のとき、シングルショット（Ｓ／Ｓ）２４１には、ＷＤ２１１及びＷＤ２１２が入力され、Ｂ接点のとき＋ＤＷＤ２７２及び−ＤＷＤ２７３が入力される。換言すれば、トランジスタ２６１、２６２に入力される信号と同じ信号がシングルショット２４１に入力される。シングルショット（Ｓ／Ｓ）２４１は、入力された２つの信号の立ち上がりを抽出している。すなわち、オーバーシュート電流は記録ヘッドに流れる電流の向きが変わったときに流れる電流であるため、トランジスタ２６１、２６２のオン、オフが切り替わったときに、スイッチ２６４がオンする。具体的には、トランジスタ２６１がオン、トランジスタ２６２がオフである状態からトランジスタ２６１がオフ、トランジスタ２６２がオンである状態に切り替わるとき、あるいはその逆に切り替わる時にスイッチ２６４がオンする。これにより、電流源２６５から記録ヘッド２５０に流れる電流の極性が変わるときに、スイッチ２６４がオンする。よって、記録ヘッド２５０に流れる電流の極性が反転するとき、電流源２６６からの電流が記録ヘッド２５０に流れる。
【００２６】
消磁期間でも、通常書き込み期間と同様に、スイッチ２６３はオン状態で維持される。すなわち、スイッチ２６３は重畳信号２４７により制御されるため、通常書き込み期間から消磁期間までの間、スイッチ２６３はオンのままになっている。また、消磁期間においても、通常書き込み期間と同様に、スイッチ２６４は記録ヘッド２５０に流れる電流の方向が変化する瞬間、スイッチ２６４が一時的にオンする。そして、電流源２６６からの電流が、電流源２６５からの電流と合わさって、記録ヘッド２５０に流れる。すなわち、消磁期間においても記録ヘッド２５０に流れる電流の極性が反転するときに、スイッチ２６４がオンし、電流源２６６からの電流が記録ヘッド２５０に流れる。
【００２７】
次に、電流源２６５、２６６によって供給される電流の大きさについて説明する。ここで、消磁波形生成回路２７０は図７に示すように、電流源２６５、２６６に供給するデジタルデータ（ＤＡＣ値）２７４、２７５を生成する。このデジタルデータ（ＤＡＣ値）２７４、２７５は、電流源１６５、１６６の電流を設定するため、途中、Ｄ/Ａ変換され、電流源１６５、１６６に渡される。電流源２６５、２６６はデジタルデータ（ＤＡＣ値）２７４、２７５に基づいて、供給する電流の大きさをそれぞれ設定する。すなわち、電流源２６５はデジタルデータ２７４に基づいて供給する電流の大きさを決定し、電流源２６６はデジタルデータ２７５に基づいて供給する電流の大きさを決定する。具体的には、デジタルデータ２７４が大きくなるにしたがって、電流源２６５によって供給される電流が大きくなり、デジタルデータ２７５が大きくなるにしたがって、電流源２６６によって供給される電流が大きくなる。電流源２６５は通常書き込み期間において記録ヘッド２５０により記録を行うために必要な記録電流を流す。一方、電流源２６６は通常書き込み期間において、記録電流方向の反転時間を短縮するためのオーバーシュート電流を流す。
【００２８】
デジタルデータ２７４、２７５は通常書き込み期間のとき、普通一定となっている。すなわち、通常書き込み期間では、電流源２６５、２６６が供給する電流は一定となる。一方、消磁期間において、デジタルデータ（ＤＡＣ値）２７４、２７５は通常書き込み期間から徐々に減少していく。すなわち、デジタルデータ２７４は通常書き込み期間において最大となり、消磁期間になると徐々に減少していく。したがって、電流源２６５により供給される電流Ｉ１は通常書き込み期間において最大で、消磁期間において減少していく。ここで、電流源２６６によって供給される電流Ｉ２は電流源２６５によって供給される電流の２割となっているため、デジタルデータ２７５も通常書き込み期間で最大となり、消磁期間になると徐々に減少していく。したがって、電流源２６５により供給される電流Ｉ２は電流源により供給される電流Ｉ１と同じ速さで減衰していく。
【００２９】
ここでは、図８に示すように記録電流を５０ｍＡとして説明する。通常書き込み期間においては、最大６０ｍＡ（記録電流５０ｍＡ＋オーバーシュート電流１０ｍＡ）がピーク電流として記録ヘッドに流れる。すなわち、記録ヘッド２５０に流れる電流の極性が変わったとき、記録ヘッドに６０ｍＡの電流が供給される。ここで、消磁期間において記録ヘッドに流れる電流は記録電流である５０ｍＡから５ｍＡづつ減少していくものとして説明する。
【００３０】
消磁期間において電流源２６５から供給される電流Ｉ１は図８に示すように、５０ｍＡから４５ｍＡ、４０ｍＡ・・・０ｍＡと５ｍＡずつ徐々に減少していく。＋ＤＷＤ又は−ＤＷＤが立ち上がるときに電流が５ｍＡづつ減少するよう、デジタルデータ２７４を減少させる。このとき、電流の極性が反転する。換言すると記録ヘッド２５０に流れる電流の極性が変わった度に５ｍＡずつ減少する。したがって、電流源２６５から記録ヘッド２５０に流れる電流は５０ｍＡから−４５ｍＡ、＋４０ｍＡ、−３５ｍＡ・・・・０ｍＡと反転しながら減衰していく。
【００３１】
消磁期間では、電流源２６６から供給される電流Ｉ２も同様に減少していく。電流源２６６から供給される電流Ｉ２は電流源２６５から供給される電流Ｉ２の２割に設定されている。したがって、電流源２６６から供給される電流Ｉ２は１０ｍＡ、９ｍＡ、８ｍＡ、・・・０ｍＡと１ｍＡずつ徐々に減少していく。よって、電流源２６６から記録ヘッド２５０に流れる電流は−９ｍＡ、＋８ｍＡ、−７ｍＡ・・・・０ｍＡと反転しながら減衰していく。なお、消磁期間の開始時点（＋ＤＷＤ又は−ＤＷＤの最初の立ち上がりより前の時点）では、電流源２６５から記録ヘッドに流れる電流の極性が反転していない。記録電流の反転前なので、スイッチ２６４がオフである。よって、電流源２６６から記録ヘッド２５０に流れる電流は０ｍＡである。記録電流生成回路２６０は電流源２６５から記録ヘッド２５０に流れる電流との合計は５０ｍＡとなる。記録電流方向を示す極性が反転する瞬間にオーバーシュート電流を加えて流すために、スイッチ２６４はオンになる。記録ヘッド２５０に流れる電流は、オーバーシュート電流分増える。したがって、オーバーシュート電流を考慮すると、消磁期間において記録ヘッドに流れる電流は図８に示すように５０ｍＡ、−５４ｍＡ、４８ｍＡ、−４２ｍＡ・・・０ｍＡと減衰していく。
【００３２】
このように従来の磁気記録装置では、通常書き込み期間において記録電流の反転時間を早くするため、反転時間だけオンにするオーバーシュート波形生成用の電流源２６６を用いて、反転記録電流をオーバーシュートさせている。この場合、記録ヘッドを消磁する消磁期間でも同じように、オーバーシュート生成回路を動かしていたので、減衰する記録電流よりもオーバーシュート電流分高いピ−ク電流を有する消磁電流波形になっていた。しかし、ピーク電流波形を形成する多くの高周波成分は、記録ヘッドのインダクタンスや寄生容量の影響を受けて変動し易い。そのため、実際のピ−ク電流が変化する消磁電流波形の乱れによって、消磁を迅速かつ確実に行うことができないという問題点があった。特に消磁期間の末期、すなわち、消磁電流波形の反転が十分繰り返された後、消磁電流波形にピーク電流が残ると、最後に滑らかに減衰して零にならない。また、上の例では、オーバーシュート電流を、通常記録電流の２０％にして説明したが、反転スピ−ドが遅い場合、５０％や１００％に設定する場合がある。それを、そのまま、消磁電流波形に持ち込むと、最後、滑らかに零になるような減衰ができない。このように、従来のＨＤＤでは、消磁期間中にオーバーシュート電流が、記録電流方向反転時に供給されてしまうため、確実に消磁することができないという問題点があった。
【００３３】
本発明は上記のような事情を背景としてなされたものであって、本発明の目的は、迅速かつ確実に消磁を行うことができる磁気記録装置及びその記録方法を提供することである。
【課題を解決するための手段】
【００３４】
本発明の第１の態様にかかる磁気記録装置は、磁気記録媒体と、前記磁気記録媒体に対してデータの記録を実行する記録ヘッドとを備え、前記データに基づいて前記記録ヘッドに流れる電流の極性を反転させて、当該データを前記磁気記録媒体に書き込む磁気記録装置であって、前記磁気記録媒体に前記データを書き込むため、前記記録ヘッドに流れる第１の電流を供給する第１の電流源と、前記第１の電流の極性が変わったときに、前記記録ヘッドに流れる第２の電流を供給する第２の電流源と、前記データに応じて、前記第１の電流源及び前記第２の電流源から前記記録ヘッドに流れる電流の極性を反転させるスイッチング回路と、前記データの書き込みが終了した後に、前記第１の電流を減衰させながら当該第１の電流の極性を反転させて前記記録ヘッドに流して前記記録ヘッドを消磁する消磁期間において、前記第１の電流が略０に収束するよりも前に、前記第１の電流の極性の反転時に前記第２の電流源から前記記録ヘッドに流れる前記第２の電流が略０となるよう制御する制御回路とを備えたものである。これにより、迅速かつ確実に記録ヘッドを消磁することができる。
【００３５】
本発明の第２の態様にかかる磁気記録装置は、上述の磁気記録装置において、前記制御回路が、前記消磁期間において、前記第２の電流源から前記記録ヘッドに流れる前記第２の電流を停止しているものである。これにより、迅速かつ確実に記録ヘッドを消磁することができる。
【００３６】
本発明の第３の態様にかかる磁気記録装置は、上述の磁気記録装置において、前記制御回路が、前記記録ヘッドと前記第２の電流源との間に設けられたスイッチを備え、前記スイッチにより、前記第２の電流源から前記記録ヘッドに流れる第２の電流を停止しているものである。これにより、簡易な構成で迅速かつ確実に記録ヘッドを消磁することができる。
【００３７】
本発明の第４の態様にかかる磁気記録装置は、上述の磁気記録装置において、前記制御回路が、前記データの書き込み期間を示すライト制御信号と前記第１の電流源からの第１の電流の極性を反転させる前記ライトデータとが入力されるアンド回路をさらに備え、前記アンド回路からの出力に基づいて前記スイッチを制御するものである。これにより、簡易な構成で、迅速かつ確実に記録ヘッドを消磁することができる。
【００３８】
本発明の第５の態様にかかる磁気記録装置は、上述の磁気記録装置において、前記第２の電流源から出力される第２の電流を略０にすることにより、前記前記第２の電流源から前記記録ヘッドに流れる第２の電流を停止しているものである。これにより、簡易な構成で迅速かつ確実に記録ヘッドを消磁することができる。
本発明の第６の態様にかかる磁気記録装置は、上述の磁気記録装置において、前記制御回路が、前記第２の電流源から出力される第２の電流を略０にするよう制御して、前記記録ヘッドに流れる第２の電流を停止するものである。これにより、簡易な構成で迅速かつ確実に記録ヘッドを消磁することができる。
【００３９】
本発明の第７の態様にかかる磁気記録装置は、上述の磁気記録装置において、前記制御回路が、前記第１の電流が略０に収束する第１の減衰期間よりも短い第２の減衰期間で前記第２の電流を略０に収束するように減衰させながら前記第２電流の極性を反転させるものである。これにより、簡易な構成で迅速かつ確実に記録ヘッドを消磁することができる。
【００４０】
本発明の第８の態様にかかる磁気記録装置は、上述の磁気記録装置において、前記第２の電流源が供給する前記第２の電流の電流値を設定するレジスタをさらに備え、前記消磁期間では、前記レジスタに記憶されたレジスタ値に基づいて、前記第２の減衰期間で略０に収束するよう前記第２の電流を減衰させるものである。これにより、安定して消磁を行うことができる。
【００４１】
本発明の第９の態様にかかる磁気記録装置は、上述の磁気記録装置において、前記レジスタ値が変更可能に設けられているものである。これにより、好適な消磁電流波形を容易に生成することができる。
【００４２】
本発明の第１０の態様にかかる記録方法は、磁気記録媒体と、前記磁気記録媒体に対してデータの記録を実行する記録ヘッドとを備え、前記データに基づいて前記記録ヘッドに流れる電流の極性を反転させて、当該データを前記磁気記録媒体に書き込む磁気記録装置における記録方法であって、前記記録ヘッドに第１の電流源から供給される第１の電流を流し、前記データに基づいて前記記録ヘッドに流れる前記第１の電流の極性を反転させ、前記第１の電流の極性を反転させたときに、前記記録ヘッドに第２の電流源から供給される第２の電流を前記第１の電流とともに流し、前記磁気記録媒体への書き込みを終了した後、前記第１の電流源から前記記録ヘッドに流れる第１の電流を減衰させながら、前記第１の電流の極性を反転させて消磁を行い、前記消磁が行なわれている消磁期間では、前記第１の電流が略０に収束するよりも前に、前記第１の電流の極性の反転時に前記第２の電流源から前記記録ヘッドに流れる前記第２の電流が略０となるえたものである。これにより、迅速かつ確実に記録ヘッドを消磁することができる。
【００４３】
本発明の第１１の態様にかかる磁気記録装置は、上述の磁気記録装置において、前記消磁期間では、前記第２の電流源からの第２の電流が停止されるものである。これにより、迅速かつ確実に記録ヘッドを消磁することができる。
【００４４】
本発明の第１２の態様にかかる磁気記録装置は、上述の磁気記録装置において、前記第２の電流源と前記記録ヘッドとの間に設けられたスイッチをオフすることにより、前記２の電流源から前記記録ヘッドに流れる電流を停止するものである。これにより、簡易な構成で迅速かつ確実に記録ヘッドを消磁することができる。
【００４５】
本発明の第１３の態様にかかる磁気記録装置は、上述の磁気記録装置において、前記第１の電流が略０に収束する第１の減衰期間よりも短い第２の減衰期間で前記第２の電流を略０に収束するように減衰させながら前記第２電流の極性を反転させるものである。
【００４６】
本発明の第１４の態様にかかる磁気記録装置は、上述の磁気記録装置において、前記第２の電流源が供給する前記第２の電流の電流値を設定するレジスタに記憶されたレジスタ値に基づいて、前記第２の減衰期間で略０に収束するよう前記第２の電流を減衰させるものである。これにより、安定して消磁を行うことができる。
【発明の効果】
【００４７】
本発明によれば、迅速かつ確実に消磁することができる磁気記録装置を提供することができる。
【発明を実施するための最良の形態】
【００４８】
以下に、本発明を適用可能な実施の形態が説明される。説明の明確化のため、以下の記載及び図面は、適宜、省略及び簡略化がなされている。又、当業者であれば、以下の実施形態の各要素を、本発明の範囲において容易に変更、追加、変換することが可能である。尚、各図面において、同一要素には同一の符号が付されており、説明の明確化のため、必要に応じて重複説明は省略されている。
発明の実施の形態１．
【００４９】
以下、本発明を適用した具体的な実施の形態について、図面を参照しながら詳細に説明する。本発明の理解の容易のため、最初に、記録メディア・ドライブの一例であるハード・ディスク・ドライブ（ＨＤＤ）の全体構成の概略を説明する。図１は、本実施の形態にかかるＨＤＤ１の概略構成を示すブロック図である。図１に示すように、ＨＤＤ１は、密閉されたエンクロージャ１０内に、記録メディアの一例である磁気ディスク１１、ヘッドの一例であるヘッド素子部１２、アーム電子回路（アームエレクトロニクス：ＡＥ）１３、スピンドル・モータ（ＳＰＭ）１４、ボイス・コイル・モータ（ＶＣＭ）１５を備えている。
【００５０】
又、ＨＤＤ１は、エンクロージャ１０の外側に固定された回路基板２０を備えている。回路基板２０上には、リード・ライト・チャネル（Ｒ／Ｗチャネル）２１、モータ・ドライバ・ユニット２２、ハードディスク・コントローラ（ＨＤＣ）／ＭＰＵ集積回路（以下ＨＤＣ／ＭＰＵ）２３、及びメモリの一例としてのＲＡＭ２４などの各ＩＣを備えている。尚、各回路構成は一つのＩＣに集積すること、あるいは、複数のＩＣに分けて実装することができる。
【００５１】
外部ホスト５１からの書き込みデータは、ＨＤＣ／ＭＰＵ２３によって受信され、Ｒ／Ｗチャネル２１、ＡＥ１３を介して、ヘッド素子部１２によって磁気ディスク１１に書き込まれる。また、磁気ディスク１１に記憶されているデータは、ヘッド素子部１２によって読み出され、読み出しデータは、ＡＥ１３、Ｒ／Ｗチャネル２１を介して、ＨＤＣ／ＭＰＵ２３から外部ホスト５１に出力される。
【００５２】
次に、ＨＤＤ１の各構成要素について説明する。まず、図２を参照して、磁気ディスク１１及びヘッド素子部１２の駆動機構の概略を説明する。磁気ディスク１１は、ＳＰＭ１４のハブに固定されている。ＳＰＭ１４は所定の速度で磁気ディスク１１を回転する。ＨＤＣ／ＭＰＵ２３からの制御データに従って、モータ・ドライバ・ユニット２２がＳＰＭ１４を駆動する。本例の磁気ディスク１１は、データを記録する記録面を両面に備え、各記録面に対応するヘッド素子部１２（図２において不図示）が設けられている。
【００５３】
各ヘッド素子部１２はスライダ１６に固定されている。また、スライダ１６は、キャリッジ１７に固定されている。キャリッジ１７はＶＣＭ１５に固定され、ＶＣＭ１５が揺動することによって、スライダ１６及びヘッド素子部１２を移動する。モータ・ドライバ・ユニット２２は、ＨＤＣ／ＭＰＵ２３からの制御データに従って、ＶＣＭ１５を駆動する。
【００５４】
磁気ディスク１１からのデータの読み取り／書き込みのため、キャリッジ１７は回転している磁気ディスク１１表面のデータ領域上にスライダ１６及ヘッド素子部１２を移動する。キャリッジ１７が揺動することによって、スライダ１６及ヘッド素子部１２が磁気ディスク１１の表面の半径方向に沿って移動する。これによって、ヘッド素子部１２が所望の領域にアクセスすることができる。
【００５５】
磁気ディスク１１に対向するスライダ１６のＡＢＳ（Air Bearing Surface）面と回転している磁気ディスク１１との間の空気の粘性による圧力が、キャリッジ１７によって磁気ディスク１１方向に加えられる力とバランスすることによって、スライダ１６及びそれに固定されたヘッド素子部１２は、磁気ディスク１１上を一定のギャップを置いて浮上する。ヘッド素子部１２には、典型的には、磁気ディスク１１への記憶データに応じて電気信号を磁界に変換する記録ヘッド、及び磁気ディスク１１からの磁界を電気信号に変換する再生ヘッドが一体的に形成されている。なお、磁気ディスク１１は、１枚以上あればよく、記録面は、磁気ディスク１１の片面あるいは両面に形成することができる。
【００５６】
続いて、図１に戻って、各回路部の説明を行う。ＡＥ１３は、複数のヘッド素子部１２の中からデータ・アクセスが行われる１つのヘッド素子部１２を選択し、選択されたヘッド素子部１２により再生される再生信号を一定のゲインで増幅（プリアンプ）し、Ｒ／Ｗチャネル２１に送る。また、Ｒ／Ｗチャネル２１からの記録信号を選択されたヘッド素子部１２に送る。このＡＥ１３は消磁処理において特徴的な制御を行う。これについては後述する。
【００５７】
Ｒ／Ｗチャネル２１は、ホスト５１から転送されたデータについて、ライト処理を実行する。ライト処理において、Ｒ／Ｗチャネル２１はＨＤＣ／ＭＰＵ２３から供給されたライト・データをコード変調する。ＡＥ１３は、Ｒ／Ｗチャネル２１でコード変調されたライト・データをライト信号（電流）に変換して、ヘッド素子部１２を構成する記録ヘッドに供給する。また、ホスト５１にデータを供給する際にはリード処理を行う。リード処理において、ＡＥ１３は、ヘッド素子部１２を構成する再生ヘッドから供給されたリード信号を一定の振幅となるように増幅する。Ｒ/Ｗチャネル２１は、取得したリード信号からデータを抽出し、デコード処理を行う。読み出されるデータは、ユーザ・データとサーボ・データを含む。デコード処理されたリード・データは、ＨＤＣ／ＭＰＵ２３に供給される。
【００５８】
ＨＤＣ／ＭＰＵ２３は、ＭＰＵとＨＤＣが一つのチップに集積された回路である。ＭＰＵは、ＲＡＭ２４にロードされたマイクロ・コードに従って動作する。ＨＤＤ１の起動に伴い、ＲＡＭ２４には、ＭＰＵ上で動作するマイクロ・コードの他、制御及びデータ処理に必要とされるデータが磁気ディスク１１あるいはＲＯＭ（不図示）からロードされる。ＨＤＣ／ＭＰＵ２３は、ヘッド素子部１２のポジショニング制御、インターフェース制御、ディフェクト管理などのデータ処理に関する必要な処理の他、ＨＤＤ１の全体制御を実行する。
【００５９】
ＨＤＣ／ＭＰＵ２３は、ホスト５１との間のインターフェース機能を備えており。ホスト５１から伝送されたユーザ・データ及びリード・コマンドやライト・コマンドといったコマンドなどを受信する。受信したユーザ・データは、Ｒ／Ｗチャネル２１に転送される。また、Ｒ／Ｗチャネル２１から取得した磁気ディスクからの読み出しデータを、ホスト５１に伝送する。更に、ＨＤＣ／ＭＰＵ２３は、ホスト５１から取得した、あるいは、磁気ディスク１１から読み出したユーザ・データについて、誤り訂正（ＥＣＣ）のための処理を実行する。本形態のＨＤＤ１は、ホスト５１との間において、シリアル又はパラレル通信によってデータ（コマンド、ユーザ・データ及び制御データを含む）の送受信を行う。
【００６０】
Ｒ／Ｗチャネル２１によって読み出されるデータは、ユーザ・データの他に、サーボ・データを含んでいる。ＨＤＣ／ＭＰＵ２３は、サーボ・データを使用したヘッド素子部１２の位置決め制御を行う。ＨＤＣ／ＭＰＵ２３からの制御データはモータ・ドライバ・ユニット２２に出力される。モータ・ドライバ・ユニット２２は制御信号に応じて駆動電流をＶＣＭ１５に供給する。また、ＨＤＣ／ＭＰＵ２３は、サーボ・データを使用して、データのリード／ライト処理の制御を行う。
【００６１】
次に、本発明のＨＤＤにおける消磁処理及びそれを行うための構成について図３及び図４を用いて説明する。図３はＨＤＤにおけるＡＥの構成を示す図である。図４は消磁時の信号波形を示すタイミングチャートである。本実施の形態では、ＡＥ１３で消磁処理を制御している例について説明する。
【００６２】
まず、本発明にかかるＨＤＤに用いられるＡＥ１３の構成について図３を用いて説明する。図３に示すようにＡＥ１３は記録電流生成回路１６０、消磁波形生成回路１７０、シングルショット（Ｓ／Ｓ）１４１及びＡＮＤ（論理積）回路１４２を備えている。記録電流生成回路１６０はトランジスタ１６１ａ、１６１ｂ、１６２ａ、１６２ｂとスイッチ１６３、１６４と電流源１６５、１６６とを備えている。この記録電流生成回路１６０の基本的構成は図６で示した従来のＨＤＤの記録電流生成回路２６０の構成と同じである。ここで、トランジスタ１６１ａ及びトランジスタ１６１ｂの組をトランジスタ１６１とし、トランジスタ１６２ａ及びトランジスタ１６２ｂの組をトランジスタ１６２とする。記録電流生成回路１６０は通常の通常書き込み期間において、チャネル２１及びＨＤＣ／ＭＰＵ２３のうちのＨＤＣ２６からの信号に基づいて、記録ヘッド１５０に流すライト電流を生成する。さらに、記録電流生成回路１６０は消磁期間（消磁期間）において、消磁波形生成回路１７０及びＡＮＤ（論理積）回路１４２からの信号に基づいて、記録ヘッド１５０に流すライト電流を生成する。消磁波形生成回路１７０はＨＤＣ２６からのライト制御信号（ライトゲート信号）１１３に基づいて消磁イネーブル信号１７１と消磁用ライト・データＤＷＤ１７２、１７３とデジタルデータ（ＤＡＣ値）１７４とを生成する。
【００６３】
まず、磁気ディスクへの通常の書き込みが行われる通常書き込み期間について説明する。ＡＥ１３には回路基板２０に設けられたＲ／Ｗチャネル２１からライト・データ（ＷＤ）１１１、１１２が入力される。図３では、ＷＤ１１１、１１２が差動信号として伝送されるため、ライト・データ用の信号線が２本示されている。ここで、ライト・データ１１１（＋ＷＤ）はライト・データ（−ＷＤ）１１２を反転した信号となる。すなわち、＋ＷＤ１１１がＨｉｇｈのとき、−ＷＤ１１２はＬｏｗとなり、＋ＷＤ１１１がＬｏｗのとき、−ＷＤ１１２はＨｉｇｈとなる。このＷＤ１１１、１１２に応じて、磁気ディスクに記録されるデータが変化する。
【００６４】
さらにＡＥ１３には回路基板２０に設けられたＨＤＣ２６からライト制御信号１１３が入力される。ここで、ライト制御信号１１３は磁気ディスクへの書き込みを実行するか否かを示す信号である。このライト制御信号１１３に基づいて書き込みが実行される。すなわち、ライト制御信号１１３信号がＨｉｇｈのとき、記録ヘッド１５０に電流を流して、磁気ディスクへの書き込みを実行する。一方、ライト制御信号がＬｏｗのとき、磁気ディスクへの書き込みを実行しない。このように、ライト制御信号１１３がＨｉｇｈとなっている間に、通常の書き込み処理が実行される。このライト制御信号１１３がＨｉｇｈの間が通常書き込み期間となる。
【００６５】
＋ＷＤはスイッチ１３１のＡ接点に入力され、−ＷＤはスイッチ１３２のＡ接点に入力される。通常書き込み期間、すなわちライト制御信号１１３がＨｉｇｈの間、スイッチ１３１、１３２はＡ接点となっている。スイッチ１３１、１３２の切換は消磁イネーブル信号１７１によって制御される。これについては後述する。スイッチ１３１の出力はトランジスタ１６１のベース端子に入力され、スイッチ１３２の出力はトランジスタ１６２のベース端子に入力される。よって、スイッチ１３１、１３２がＡ接点のとき、トランジスタ１６１、１６２のベース端子に入力される信号はそれぞれチャネル１２１からのＷＤ１１１、１１２となる。したがって、通常書き込み期間、記録電流生成回路１６０で生成される電流の向きは、ＷＤ１１１、１１２に応じて切り替わる。すなわち、＋ＷＤ１１１がＨｉｇｈのとき、トランジスタ１６１がオンし、トランジスタ１６２がオフする。このとき図３で示す記録ヘッド１５０の左から右の方向に記録電流が流れる。一方、−ＷＤ１１２がＨｉｇｈのとき、トランジスタ１６１がオフし、トランジスタ１６２がオンする。このとき、図３で示す記録ヘッド１５０の右から左の方向に記録電流が流れる。よって、記録電流生成回路１６０によって生成され、記録ヘッド１５０に流れる電流の向きが変わる。トランジスタ１６１、１６２は電流源１６５、１６６から供給され記録ヘッド１５０に流れる電流の極性(電流方向)を反転させる電流切り替え回路（カレントスイッチ）である。ここで、トランジスタ１６１がオンし、トランジスタ１６２がオフしたとき、記録ヘッド１５０を左から右の方向に流れる電流を負符号（−）の電流とし、トランジスタ１６１がオフし、トランジスタ１６２がオンしたとき、記録ヘッド１５０を右から左に流れる電流を正符号（＋）の電流として説明する。記録ヘッド１５０に流れる電流は記録電流生成回路１６０に設けられたスイッチ１６３、１６４を介して電流源１６５、１６６から供給される。
【００６６】
トランジスタ１６１、１６２のコレクタ端子は正の電源電圧＋Ｖｃｃに接続されている。トランジスタ１６１、１６２のエミッタ端子はスイッチ１６３及び電流源１６５を介してあるいはスイッチ１６４及び電流源１６６を介して負電源電圧−Ｖｅｅ又はグランド（ＧＮＤ）に接続されている。したがって、スイッチ１６３、１６４がオンすることにより、トランジスタ１６１又はトランジスタ１６２を介して記録ヘッド１５０に電流が流れる。
【００６７】
電流源１６５は、磁気ディスクに記録するための記録電流を生成し、供給している。ここでは説明の簡略化のため記録電流を５０ｍＡとして説明する。すなわち、記録ヘッド１５０に＋５０ｍＡ又は−５０ｍＡの電流が流れることにより、磁気ディスクにデータを記録することができる。通常書き込み期間において、電流源１６５から供給される電流Ｉ１は記録電流である５０ｍＡで一定である。
【００６８】
一方、電流源１６６はオーバーシュート電流を生成し、供給する。ここで、オーバーシュート電流とは記録ヘッド１５０に流れる電流の極性が反転したときに、一時的に電流源１６６から流れる電流を言うものとする。記録ヘッド１５０に流れる電流の向きが切り替わるときのみ、電流源１６６からの電流が供給される。ここで電流源１６５と記録ヘッド１５０との間にはスイッチ１６３が設けられており、電流源１６６と記録ヘッド１５０との間にはスイッチ１６４が設けられている。スイッチ１６３によって、電流源１６５からの電流の供給が制御され、スイッチ１６４によって、電流源１６６からの電流の供給が制御される。
【００６９】
電流源１６５に接続されたスイッチ１６３はライト制御信号１１３に基づいて制御される。実際には、スイッチ１６３は重畳回路１４０によって消磁イネーブル信号１７１とライト制御信号１１３とが重畳された重畳信号１４７に基づいて制御されるが、これについては後述する。通常書き込み期間においては、ライト制御信号１１３がＨｉｇｈとなっているため、スイッチ１６３はオン状態となっている。したがって、電流源１６５から記録ヘッド１５０に電流が常時供給される。
【００７０】
電流源１６６に接続されたスイッチ１６４はＡＮＤ（論理積）回路１４２に出力に基づいて制御される。ＡＮＤ（論理積）回路１４２の出力がＨｉｇｈのとき、スイッチ１６４がオンする。ＡＮＤ（論理積）回路１４２にはライト制御信号１１３及びシングルショット（Ｓ／Ｓ）１４１が入力される。そして、ＡＮＤ（論理積）回路１４２はライト制御信号１１３とシングルショット（Ｓ／Ｓ）１４１の論理積を取る。
【００７１】
通常書き込み期間において、シングルショット（Ｓ／Ｓ）１４１には＋ＷＤ１１１及び−ＷＤ１１２が入力されている。シングルショット（Ｓ／Ｓ）１４１はＷＤ１１１、１１２の立ち上がりを検出している。すなわち、シングルショット（Ｓ／Ｓ）１４１の出力は、記録ヘッド１５０に流す電流の向きが変わるときにパルスが表れる信号となる。シングルショット（Ｓ／Ｓ）１４１の出力はスイッチ１６４の切換を行なうタイミングを与える。通常書き込み期間ではライト制御信号１１３は常にＨｉｇｈなので、通常書き込み期間におけるＡＮＤ（論理積）回路１４２の出力はシングルショット（Ｓ／Ｓ）１４１の出力と同じになる。よって、通常書き込み期間において、スイッチ１６４はＷＤ１１１、１１２の立ち上がりに同期しながら、短時間オンする。すなわち、記録ヘッドに流す電流の向きが変わるとき、スイッチ１６４が反転時間だけオンし、電流源１６６から電流が記録ヘッド１５０に流れる。電流源１６６は、電流源１６５により供給される電流の２割の電流を供給する。すなわち、通常書き込み期間において、電流源２６６により供給される電流は１０ｍＡである。
【００７２】
このように、反転時間だけオンするオーバーシュート電流生成用の電流源１６６を用いてオーバーシュートを利用することで、記録データの値が切り替わってから記録電流が完全に反転するまでの立ち上がり時間（反転時間）を短縮することができる。
【００７３】
次に、消磁が行われる消磁期間について説明する。ここで、消磁を行うための消磁電流波形を生成するために、消磁波形生成回路１７０を用いている。
【００７４】
ライト制御信号１１３は消磁波形生成回路１７０に入力される。消磁波形生成回路１７０はライト制御信号１１３に基づいて、消磁イネーブル信号１７１を生成する。具体的にはライト制御信号１１３が立ち下がるとき、すなわち、通常書き込み期間が終了し、書き込む処理から消磁動作に切り替わるタイミングで消磁イネーブル信号１７１が出力される。そして、この消磁イネーブル信号１７１は消磁が行われる消磁期間に対応する時間、Ｈｉｇｈとなるパルス波形を有している。消磁イネーブル信号１７１がＨｉｇｈの間に、消磁動作を実行し、Ｌｏｗに戻るまでに終了する。なお、消磁動作を始めるタイミングで、スイッチ１３１、１３２がＡ接点からＢ接点に切り替わるため、トランジスタ１６１、１６２に供給される信号はＷＤ１１１、１１２から消磁用ライト・データ１７１、１７２に切り替わる。消磁イネーブル信号１７１は通常書き込み期間の直後から一定時間だけＨｉｇｈになったあと、Ｌｏｗに戻る。
【００７５】
消磁波形生成回路１７０はオシレータクロック又は一定周波数発生器を内蔵しており、このオシレータクロック等により消磁用ライト・データ１７２、１７３を生成する。ＤＷＤ１７２、１７３は例えば、５０ＭＨｚの固定パターンとすることができる。ここで、消磁用ライト・データ１７２を＋ＤＷＤとし、消磁用ライト・データ１７３を−ＤＷＤとし、消磁用ライト・データ１７２及び消磁用ライト・データ１７３をまとめてＤＷＤとする。ＤＷＤ１７２、１７３は図４に示すように所定の周波数で、パルス幅は１周期の半分（５０％デューティ）のパルス波形となる。このパルス波形は図４に示すように消磁期間だけ表れる。＋ＤＷＤ１７２は−ＤＷＤ１７３を反転させた信号となる。すなわち、＋ＤＷＤ１７２がＨｉｇｈのとき、消磁用ライト・データ１７３がＬｏｗとなり、＋ＤＷＤ１７２がＬｏｗのとき、消磁用ライト・データ１７３がＨｉｇｈとなる。そして、＋ＤＷＤと−ＤＷＤとは互いに１／２周期ずれたものであり、それぞれ同じパルス幅をしている。
【００７６】
図３に示すよう、消磁用ライトデータ＋ＤＷＤ１７２はスイッチ１３１のＢ接点に入力され、消磁用ライト・データ１７３はスイッチ１３２のＢ接点に入力される。消磁期間では、スイッチ１３１、１３２がＢ接点となる。よって、消磁期間では、ＤＷＤ１７２、１７３がトランジスタ１６１、１６２のベース端子にそれぞれ入力される。ＤＷＤ１７２、１７３にしたがって、記録ヘッド１５０に流れる電流の方向が切り替わる。すなわち、＋ＤＷＤ１７２がＨｉｇｈのとき、トランジスタ１６１がオンし、−ＤＷＤ１７３がＨｉｇｈのとき、トランジスタ１６２がオンする。このようにして、消磁期間において記録ヘッド１５０に流れる電流の向きを変えることができる。よって、消磁期間では一定の時間間隔で記録ヘッド１５０に流れる電流の極性が反転する。
【００７７】
スイッチ１３１、１３２は消磁イネーブル信号１７１に基づいて制御される。すなわち、消磁イネーブル信号１７１がＨｉｇｈとなるとＡ接点からＢ接点へと切り替わる。そして、消磁イネーブル信号１７１がＨｉｇｈの間、スイッチ１３１、１３２はＢ接点となっている。消磁イネーブル信号１７１がＬｏｗになるとスイッチ１３１、１３２はＡ接点に戻る。スイッチ１３１、１３２はライト制御信号１１３がＨｉｇｈの通常書き込み期間のときＡ接点となる。よって、通常書き込み期間か消磁期間かに応じて、記録電流生成回路１６０のトランジスタ１６１、１６２のベース端子に入力される信号が切り替わる。
【００７８】
消磁期間において、スイッチ１６３は消磁イネーブル信号１７１に基づいて制御される。消磁イネーブル信号１７１がＨｉｇｈのとき、スイッチ１６３がオンする。よって、消磁期間において、スイッチ１６３はオン状態となっている。したがって、消磁期間では、電流源１６５からの電流は記録ヘッド１５０に常時流れる。
【００７９】
ここで、スイッチ１６３はライト制御信号１１３及び消磁イネーブル信号１７１に基づいて、オン／オフされる。すなわち、スイッチ１６３には重畳回路１４０によりライト制御信号１１３と消磁イネーブル信号１７１とが重畳された重畳信号１４７に基づいて切り替わる。重畳信号１４７はライト制御信号１１３を消磁期間分延長した信号となる。具体的には重畳信号１４７がＨｉｇｈのとき、すなわち、ライト制御信号１１３又は消磁イネーブル信号１７１がＨｉｇｈの間スイッチ１６３はオンされる。通常書き込み期間が開始してから消磁期間が終わるまでスイッチ１６３がオンする。これにより、通常書き込み期間のみならす消磁期間まで、電流源１６５からの電流が記録ヘッド１５０に流れる。
【００８０】
スイッチ１６４はＡＮＤ（論理積）回路１４２の出力に基づいて切り替わる。ＡＮＤ（論理積）回路１４２には、ライト制御信号１１３とシングルショット（Ｓ／Ｓ）１４１からの出力とが入力される。消磁期間ではライト制御信号１１３はＬｏｗとなっているので、シングルショット（Ｓ／Ｓ）１４１からの出力によらず、ＡＮＤ（論理積）回路１４２の出力はＬｏｗとなる。したがって、消磁期間ではスイッチ１６４は常時オフとなっている。これにより、電流源１６６から記録ヘッド１５０に流れる電流を停止することができる。このように、ＤＷＤ１７２，１７３が入力されるシングルショット（Ｓ／Ｓ）１４１と、シングルショット（Ｓ／Ｓ）１４１からの出力とライト制御信号１１３とが入力されるＡＮＤ（論理積）回路１４２とＡＮＤ（論理積）回路１４２に出力により切り替わるスイッチ１６４とが、消磁期間において電流源１６６から記録ヘッド１５０に流れる電流を停止するよう制御する制御回路を構成する。
【００８１】
消磁期間では、通常書き込み期間と同様に、スイッチ１６３はオン状態で維持される。すなわち、スイッチ１６３は重畳信号１４７により制御されるため、通常書き込み期間の開始から消磁期間の終了までの間、スイッチ１６３はオンのままになっている。また、消磁期間では、通常書き込み期間と異なり、スイッチ１６４は常にオフ状態となる。スイッチ１６４はＡＮＤ（論理積）回路１４２からの出力により制御される。ＡＮＤ（論理積）回路１４２は入力されたシングルショット（Ｓ／Ｓ）１４１の出力とライト制御信号１１３との論理積を取っている。シングルショット（Ｓ／Ｓ）１４１は通常のライトデータ（ＷＤ）と消磁用ライトデータ（ＤＷＤ）両方の反転時を検出して、記録電流の反転時間を早くする時間領域を指定する短いパルスを生成している。しかし、シングルショット（Ｓ/Ｓ）１４１の出力は、ライト制御信号（ライトゲート信号）と共に、ＡＮＤ(論理積)回路１４２に入力されるため、消磁期間においては、ＡＮＤ(論理積)回路１４２の出力は、Ｈｉｇｈとなることがない。スイッチ１６４は消磁期間において常時オフであるため、電流源１６６からの電流は記録ヘッド１５０に流れない。したがって、消磁期間において、電流源１６５から供給される電流だけが記録ヘッド１５０に流れる。消磁期間において、オーバーシュート電流が記録ヘッド１５０に流れるのを防ぐことができる。よって、消磁期間における消磁電流波形には電流方向反転時にオーバーシュート電流がもたらす鋭いピ−クが付与されることがない。したがって、自然な消磁電流の減衰が得られ、確実に記録ヘッドを消磁することができる。このように本発明にかかるＨＤＤ１では消磁を確実かつ迅速に行うことができる。
【００８２】
次に、電流源１６５、１６６によって供給される電流の大きさについて説明する。ここで、消磁波形生成回路１７０はライト制御信号１１３及びＤＷＤ１７２、１７３に基づいて、ＡＥ内部のレジスタに格納され、電流源１６５の電流値を設定するデジタルデータ（ＤＡＣ値）を次々と読み出す。これについては、後に述べる。ここのデジタルデータ（ＤＡＣ値）１７４は、電流源１６５の電流を設定するため、途中、Ｄ/Ａ変換され、電流源１６５に渡される。すなわち、電流源１６５はデジタルデータ（ＤＡＣ値）１７４に基づいて、供給する電流の電流値を決定する。具体的には、デジタルデータ（ＤＡＣ値）１７４が大きくなるにしたがって、電流源１６５によって供給される電流が大きくなる。電流源１６５は通常書き込み期間において記録ヘッド１５０により書き込みを行うために必要な記録電流を供給する。一方、電流源１６６は通常書き込み期間において電流反転後の記録電流の立ち上がりを短縮するためのオーバーシュート電流を供給する。
【００８３】
デジタルデータ（ＤＡＣ値）１７４は通常書き込み期間のとき、一定となっている。よって、通常書き込み期間では、電流源１６５が供給する電流は一定となる。一方、消磁期間において、デジタルデータ（ＤＡＣ値）１７４は通常書き込み期間から徐々に減少していく。すなわち、デジタルデータ（ＤＡＣ値）１７４は通常書き込み期間において最大となり、消磁期間になると徐々に減少していく。したがって、電流源１６５により供給される電流Ｉ１は通常書き込み期間において最大で、消磁期間になると徐々に減少していく。
【００８４】
消磁期間では、電流源１６６から供給される電流は記録ヘッド１５０に流れない。通常書き込み期間でのみ、記録電流反転時の瞬間スイッチ１６４がオンとなり、電流源１６６から供給される電流が記録ヘッド１５０に流れる。したがって、消磁期間中は電流源１６６に流す電流を操作する必要がない。よって、消磁期間では、電流源１６６は常時一定の電流のみを供給するように設定する。そして、スイッチ１６４により、電流源１６６からの電流を記録ヘッド１５０に流すか否か制御するようにすればよい。このようにしても、消磁期間では、スイッチ１６４が常時オフとなるので、電流源１６６により供給される電流は記録ヘッド１５０を流れない。
【００８５】
ここでは、図４に示すように記録電流を５０ｍＡとして説明する。通常書き込み期間においては、６０ｍＡ（記録電流５０ｍＡ＋オーバーシュート電流１０ｍＡ）がピーク電流として記録ヘッドに流れる。すなわち、記録ヘッド１５０に流れる電流方向の極性が変わったとき、６０ｍＡの電流が供給される。ここで、消磁期間において記録ヘッドに流れる電流は記録電流である５０ｍＡから５ｍＡづつ減少していくものとして説明する。消磁期間において電流源１６５から供給される電流Ｉ１は図４に示すように、５０ｍＡから４５ｍＡ、４０ｍＡ・・・０ｍＡと５ｍＡずつ徐々に減少していく。ここで、＋ＤＷＤ１７２又は−ＤＷＤ１７３が立ち上がる度に電流源１６５に電流値を設定するデジタルデータ（ＤＡＣ値）１７４が減少し、流れる電流が減少する。電流Ｉ１が減少するタイミングはシングルショット（Ｓ／Ｓ）１４１の出力においてパルスが表れるタイミングと一致している。シングルショット（Ｓ／Ｓ）１４１の出力のパルスを消磁期間の開始から順番に、１、２、３とすると、ここでは１０パルスが消磁期間において表れるよう、消磁期間の長さを設定している。
【００８６】
＋ＤＷＤ１７２がＨｉｇｈからＬｏｗに変わった時及びＬｏｗからＨｉｇｈに変わった時に電流Ｉ１は５ｍＡずつ減少する。換言すると記録ヘッド１５０に流れる電流の極性が変わったときに５ｍＡずつ減少する。したがって、電流源１６５から記録ヘッド１５０に流れる電流は５０ｍＡから−４５ｍＡ、＋４０ｍＡ、−３５ｍＡ・・・・０ｍＡと反転しながら減衰していく。すなわち、デジタルデータ（ＤＡＣ値）１７４の値に基づいて、記録ヘッドに流れる電流が略０になるように収束させていく。
【００８７】
このとき、スイッチ１６４がオフしているので、電流源１６６から供給される電流Ｉ２は記録ヘッド１５０に流れない。したがって、消磁期間において、記録ヘッド１５０に流れる全電流は５０ｍＡから−４５ｍＡ、＋４０ｍＡ、−３５ｍＡ・・・・０ｍＡと反転しながら減衰していく。
【００８８】
このように、本実施の形態では、消磁期間において電流源１６６から記録ヘッド１５０に流れる電流を停止させている。これにより、オーバーシュート電流が記録ヘッド流れるのを防ぐことができ、消磁電流波形の乱れを防ぐことができる。したがって、簡易な構成のＨＤＤで迅速かつ確実に消磁することができる。
発明の実施の形態２．
【００８９】
本実施の形態にかかるＨＤＤについて図５を用いて説明する。図５はＡＥの一部の構成を示す図である。なお、本実施の形態にかかるＨＤＤの基本的な構成は実施の形態１と同様の構成であるため、説明を省略する。また、通常書き込み期間における制御も実施の形態１と同様であるため説明を省略する。実施の形態１ではスイッチ１６４のオン／オフにより、電流源１６６から記録ヘッド１５０に流れる電流を制御したが、本実施の形態では、ＡＥ１３に設けられたレジスタ１４３に記憶されたレジスタ値に基づいて電流源１６６から供給される電流Ｉ２を制御している。
【００９０】
本実施の形態では、例えば、図３に示したスイッチ１６４にシングルショット（Ｓ／Ｓ）１４１からの出力を直接入力する。これにより、通常書き込み期間だけでなく、消磁期間においても、記録ヘッドに流れる電流の極性が反転したときに、スイッチ１６４がオンする。本実施の形態にかかるシングルショット（Ｓ／Ｓ）１４１は、ＤＷＤ１７２、１７３の立ち上がりを検出して、消磁期間中、徐々に減少させる電流源の電流値設定値を次々に読み出すタイミングを与える。すなわち、ＡＥ内部のレジスタ１４３に格納されたデジタルデータ（ＤＡＣ値）を次々に読み出すタイミングを与える。なお、図５において、シングルショット（Ｓ／Ｓ）１４１には、図３に示したようにスイッチ１３１、１３２からの信号が供給されるが、図５では省略している。
【００９１】
本実施の形態では、レジスタ１４３に記憶されているレジスタ値により電流源１６５、１６６により供給される電流値が決定される。すなわち、このレジスタ値を読み出すことにより得られるデジタルデータ（ＤＡＣ値）１７４、１７５を、途中、ＤＡＣ１４４、ＤＡＣ１４５でＤ／Ａ変換する。Ｄ／Ａ変換されたアナログデータを電流源１６５、１６６に送ることで、電流源１６５が供給する電流Ｉ１及び電流源１６６が供給する電流Ｉ２がそれぞれ決定される。ＤＡＣ１４４の出力は電流源１６５で記録ヘッド１５０に流れる電流に変換される。また、ＤＡＣ１４５の出力は電流源１６６で記録ヘッド１５０に流れる電流に変換される。ここで、図５に示すようにレジスタ１４３に記憶されたレジスタ値のうち１０番（５０）〜１Ａ番（０）が電流源１６５により供給される電流Ｉ１の電流値を決定するための値である。また、レジスタ１４３に記憶されたレジスタ値のうち２０番（１０）〜２Ａ番（０）が電流源１６６により供給される電流Ｉ２の電流値を決定するための値である。具体的なレジスタ値を記述すると、１０番目は５０、１１番目は４５、１２番目は４０、１３番目は３５、１４番目は３０、１５番目は２５、１６番目は２０、１７番目は１５、１８番目は１０、１９番目は５、１Ａ番目は０、２０番目は１０、２１〜２Ａ番目は０である。もちろん、レジスタ値はこれ以外の値であってもよい。なお、レジスタ１４３のレジスタ番号には１６進数を用いた。
【００９２】
通常書き込み期間では、１０番と２０番のレジスタ値が読み出される。ＤＡＣ１４４には１０番のレジスタ値、すなわち、レジスタ値５０が入力され、ＤＡＣ１４５には２０番のレジスタ値、すなわちレジスタ値１０が入力される。これにより、通常書き込み期間において、電流源１６５から５０ｍＡの電流が供給され、電流源１６６から１０ｍＡの電流が供給される。なお、ここでは説明の簡略化のため、レジスタ値と供給される電流値（ｍＡ）とを同じ値としている。もちろん、レジスタ値と供給される電流値（ｍＡ）とは異なる値であってもよい。これにより、通常書き込み期間では、電流の極性が反転した時にピーク電流６０ｍＡ（記録電流５０ｍＡ＋オーバーシュート電流１０ｍＡ）が供給され、それ以外では記録電流５０ｍＡが供給される。
【００９３】
消磁期間で、１１〜１Ａ番目及び２１〜２Ａ番目のレジスタ値が読み出される。すなわち、ＤＡＣ１４４には１１〜１Ａ番のレジスタ値、すなわち、レジスタ値４５〜０が入力され、ＤＡＣ１４５には２１〜２Ａ番のレジスタ値、すなわちレジスタ値０が入力される。ここで、レジスタ１４３はＤＷＤ１７２、１７３のクロックと同期して１１〜１Ａ番に格納されたレジスタ値を順次読み出すよう設定している。したがって、電流源１６５により供給される電流は５０ｍＡから減少し４５ｍＡ、４０ｍＡ、３５ｍＡ・・・５ｍＡと減少し、消磁期間が終わるとき０ｍＡとなる。
【００９４】
このとき、オーバーシュート電流は、電流源１６５からの電流が減衰する減衰期間よりも速く減衰するようにする。ここで、電流源１６５からの電流が減衰する期間を第１の減衰期間とし、電流源１６６からのオーバーシュート電流が減衰する期間を第２の減衰期間とする。第１の減衰期間よりも第２の減衰期間を短くすることでも、迅速かつ確実な消磁を行うことができる。具体的には、電流源１６５からの電流は１０パルス目で略０ｍＡに収束する場合、電流源１６６からの電流は９パルス目以前に収束させるよう減衰させる。例えば、図には示していないが、２１〜２５番目のレジスタ値に８、６、４、２、０と格納し、２６〜２Ａ番目のレジスタ値に０と格納する。この場合、電流Ｉ１は１０パルス目で略０に収束し、電流Ｉ２は５パルス目で略０に収束する。よって、オーバーシュート電流が電流源からの電流Ｉ１よりも速く減衰する。すなわち、電流Ｉ２の減衰速度を電流Ｉ１の減衰速度よりも高くしている。このように、電流Ｉ１と電流Ｉ２との間で、略０ｍＡに収束するまでの減衰時間を変えて、減衰させることでも、迅速かつ確実に消磁を行うことができる。このように、本発明では、消磁期間において、電流Ｉ１が減衰して略０ｍＡとなるタイミングよりも前に電流Ｉ２を略０ｍＡとしている。これにより、迅速かつ確実に消磁することができる。
【００９５】
また、例えば、図５に示すように２１〜２Ａ番目のレジスタ値は全て０としてもよい。２１〜２Ａ番目のレジスタをＤＷＤ１７２、１７３のクロックと同期して読み出したとしても、電流源１６６から出力される電流は０ｍＡとなる。したがって、消磁期間では、オーバーシュート電流が０ｍＡとなる。このとき、記録ヘッド１５０に流れる電流は、５０ｍＡから反転しながら減少し−４５ｍＡ、４０ｍＡ、−３５ｍＡ・・・−５ｍＡと減少し、消磁期間が終了するとき０ｍＡに収束する。よって、オーバーシュート電流が記録ヘッド流れるのを防ぐことができ、消磁電流波形の乱れを防ぐことができる。このように本実施の形態では、簡易な構成のＨＤＤで迅速かつ確実に消磁することができる。
【００９６】
このように本実施の形態では、レジスタ１４３を設け、このレジスタ１４３に記憶されたレジスタ値に基づいて電流量を決定している。したがって、消磁電流波形を一定にすることができるので、安定した消磁動作を行うことができる。これらのレジスタ値はＨＤＣ／ＭＰＵ２３により変更可能であり、自由な減衰プロファイルを選択することができる。これにより、好適な消磁電流波形を容易に生成することができる。しかし一般的には、レジスタの値はハードウェアで組み込まれることが多く、変更できる自由度は少なく、減衰プロファイルが、数種から選べる程度である。この場合でも、数種の減衰プロファイルから好適な減衰プロファイルを選択することにより、自然な消磁電流の減衰を得ることができる。
【００９７】
以上、実施形態１、２を例として本発明を説明したが、本発明が上記の実施形態に限定されるものではない。例えば、上述の実施の形態ではＨＤＤを例として説明したが、本発明は、磁気記録媒体にデータを記録させる記録ヘッドを有し、その記録ヘッドの消磁が必要な磁気記録装置に適用可能である。この磁気記録装置において、消磁期間が終了する前に電流源１６６からの電流を略０とすればよい。なお、上述の実施の形態では、消磁処理をＡＥ内部において行ったが、これに限るものではない。例えば、消磁イネーブル信号１７１を生成する回路やトランジスタ１６１、１６２を制御するスイッチ１３１、１３２はＡＥの外部に設けてもよい。さらに、ＤＷＤを生成する回路は例えば、Ｒ／Ｗチャネル２１に設けてもよい。レジスタ１４３の値をセットする制御手段やスイッチ１６３、１６４を制御する制御回路をＡＥ１３の外部に設けることも可能である。また、消磁電流波形はパルス波形に限らず、様々な波形を用いることができる。このような消磁方法は垂直磁気記録方式の磁気記録装置に好適である。
【図面の簡単な説明】
【００９８】
【図１】本実施の形態に係るＨＤＤの概略構成を示すブロック図である。
【図２】本実施の形態に係るＨＤＤの概略構成を示すブロック図である。
【図３】本実施の形態に係るＨＤＤのＡＥの概略構成を示す図である。
【図４】本実施の形態に係るＨＤＤの消磁処理を示すタイミングチャートである。
【図５】本実施の形態に係るＨＤＤのＡＥの一部の構成を示す図である。
【図６】図６（ａ）はＨＤＤの記録ヘッドに流れる記録電流を生成する記録電流生成回路の構成を示す図であり、図６（ｂ）は通常書き込み期間における記録電流を示す図である。
【図７】従来のＨＤＤのＡＥの概略構成を示す図である。
【図８】従来のＨＤＤにおける消磁処理を示すタイミングチャートである。
【符号の説明】
【００９９】
１  ＨＤＤ、１０  エンクロージャ、１１  磁気ディスク、１２  ヘッド素子部、
１６  スライダ、１７  キャリッジ、２０  回路基板、２１  Ｒ／Ｗチャネル、
２２  モータ・ドライバ・ユニット、５１  ホスト、
１１１  ＋ＷＤ、１１２  −ＷＤ、１１３  ライト制御信号、
１３１  スイッチ、１３２  スイッチ、１４０  重畳回路、１４１  シングルショット、１４２  ＡＮＤ（論理積）回路、１４３  レジスタ、１４４  ＤＡＣ  、１４５  ＤＡＣ
１４７  重畳信号、１５０  記録ヘッド、１６０  記録電流生成回路、
１６１  トランジスタ、１６２  トランジスタ、
１６３  スイッチ、１６４  スイッチ、１６５  電流源、
１６６  電流源、１７０  消磁波形生成回路、１７１  消磁イネーブル信号、
１７２  ＋ＤＷＤ、１７３  −ＤＷＤ、１７４  デジタルデータ、
２００  ＡＥ、２１１  ＋ＷＤ、２１２  −ＷＤ、２１３  ライト制御信号、
２２０  回路基板、２２１  チャネル、２２２  ＨＤＣ、２３１  スイッチ、
２３２  スイッチ、２４０  重畳回路、２４１  シングルショット、２５０  記録ヘッド
２６０  記録電流生成回路、２６１  トランジスタ、２６２  トランジスタ、
２６３  スイッチ、２６４  スイッチ、２６５  電流源、２６６  電流源、
２７０  消磁波形生成回路、２７１  消磁イネーブル信号、２７２  ＋ＤＷＤ、
２７３  −ＤＷＤ、２７４  デジタルデータ、２７５  デジタルデータ
【図１】
2006196107.tif 000003
【図２】
2006196107.tif 000004
【図３】
2006196107.tif 000005
【図４】
2006196107.tif 000006
【図５】
2006196107.tif 000007
【図６】
2006196107.tif 000008
【図７】
2006196107.tif 000009
【図８】
2006196107.tif 000010